(57)【要約】【課題】磁気ヘッド素子への振動の伝播を阻止することにより、この磁気ヘッド素子の劣化および出力低下を防止することができる磁気ヘッドスライダーを提供する。【解決手段】スライダー本体３０と、絶縁層４０と、保護層５０と、データの読み取りまたはデータの再生をおこなう磁気ヘッド素子６０とを有するとともに、スライダー本体３０の所定位置に、振動減衰材８５を介して基端部をスライダー本体３０に埋め込まれたスタッド部材８０または、振動減衰材を介して、スライダー本体３０の表面に設けられた接触パッドを備えた磁気ヘッドスライダー１０ｂを構成する。【選択図】      図５
2006277883.tif 000002
【特許請求の範囲】
【請求項１】
磁気ディスクの表面部に対向する位置に配置され、当該磁気ディスクに対するデータの読み取りまたはデータの再生をおこなう磁気ヘッドスライダーにおいて、
前記磁気ヘッドスライダーは、少なくともスライダー本体と、データの読み取りまたはデータの再生をおこなう磁気ヘッド素子とから構成され、
前記スライダー本体の所定位置には、当該スライダー本体のいずれかの箇所と、前記磁気ディスクの表面部との接触により発生した振動を吸収する振動吸収手段が設けられることを特徴とする磁気ヘッドスライダー。
【請求項２】
前記振動吸収手段は、前記スライダー本体が備える特定の固有振動数に対して選択的に作用するように構成されることを特徴とする請求項１に記載の磁気ヘッドスライダー。
【請求項３】
磁気ディスクの表面部に対向する位置に配置され、当該磁気ディスクに対するデータの読み取りまたはデータの再生をおこなう磁気ヘッドスライダーにおいて、
前記磁気ヘッドスライダーは、少なくともスライダー本体と、データの読み取りまたはデータの再生をおこなう磁気ヘッド素子とから構成され、
前記磁気ヘッド素子が配設された部位の近傍に位置する材料は、前記スライダー本体のいずれかの箇所と、前記磁気ディスクの表面部との接触により発生した振動を吸収する材料が選定されることを特徴とする磁気ヘッドスライダー。
【請求項４】
磁気ディスクの表面部に対向する位置に配置され、当該磁気ディスクに対するデータの読み取りまたはデータの再生をおこなう磁気ヘッドスライダーにおいて、
前記磁気ヘッドスライダーは、少なくともスライダー本体と、データの読み取りまたはデータの再生をおこなう磁気ヘッド素子とから構成され、
前記スライダー本体の所定位置には、その基端部がスライダー本体に埋設され、その先端部が、前記磁気ディスクの表面部に向けて、所定量突出し、その基端部とスライダー本体との間に振動を吸収する材料を介在させた、一つまたは複数のスタッド部材が設けられることを特徴とする磁気ヘッドスライダー。
【請求項５】
磁気ディスクの表面部に対向する位置に配置され、当該磁気ディスクに対するデータの読み取りまたはデータの再生をおこなう磁気ヘッドスライダーにおいて、
前記磁気ヘッドスライダーは、少なくともスライダー本体と、データの読み取りまたはデータの再生をおこなう磁気ヘッド素子とから構成され、
前記スライダー本体の底面部には、当該スライダー本体との間を振動減衰材で隔絶された硬質の接触パッドを設け、当該接触パッドの配設位置は、前記磁気ヘッド素子に比べて、前記磁気ディスクの表面部に近接する位置或いは、磁気ディスクに接触する位置であって、前記磁気ヘッド素子は、磁気ディスクと直接接触しない配置とすることを特徴とする磁気ヘッドスライダー。
【発明の詳細な説明】
【技術分野】
【０００１】
この発明は、磁気ディスクなどの記録媒体に記録されている情報を読み出し／再生をおこなう磁気ヘッドスライダーに関するものであり、特に、磁気ヘッド素子への振動の伝播を抑制することにより、この磁気ヘッド素子の劣化を長期にわたって防止することができる磁気ヘッドスライダーに関する。
【背景技術】
【０００２】
従来から、磁気ディスク装置は、コンピュータやパーソナルコンピュータ、サーバなどの各種システムにおいて、繰り返し情報を読み書きする記憶装置として利用されている。そして、この磁気ディスク装置の磁気ディスクから情報を読み出す場合には、ＧＭＲ（Giant Magneto Resistive）素子からなる巨大磁気抵抗効果や、ＴＭＲ(Tunneling Magneto Resistive)素子からなる強磁性トンネル効果を用いた磁気ヘッド素子を有する磁気ヘッドスライダーを用いるのが一般的である。
【０００３】
この種の従来の磁気ヘッドスライダーについて、以下、図１４を参照して概略を説明する。図１４は、磁気ディスクＤＫと磁気ヘッドスライダー９との位置関係を示す概略図である。同図に示す様に、磁気ヘッドスライダー９を構成するスライダー本体１１は、サスペンション１２により支持され、磁気ヘッド素子１３は、このスライダー本体１１の先端部（図１４の右側）に位置し、高速で回転する磁気ディスクＤＫに記録された記録データを記録／再生するように構成されている。
【０００４】
上述のように構成される磁気ヘッドスライダー９において、磁気ヘッド素子１３を長期間使用すると、この磁気ヘッド素子１３を構成するＧＭＲ素子またはＴＭＲ素子が劣化し、この劣化により出力が徐々に低下することから、データの読み取りエラーが発生することがある。
【０００５】
さらに、同図に示すように、磁気ヘッドスライダー９は、磁気ディスクＤＫに対して僅かに浮上させる構成としているが、近年では、記録密度を高めるために、この磁気ヘッドスライダー９（磁気ヘッド素子１３）と磁気ディスクＤＫの表面部との間隔ｔが徐々に近づく傾向となっている。
【０００６】
具体的に説明すると、近年では磁気ディスクの記録密度が高くなり、磁気ヘッドの浮上量も１０ｎｍ程度となっている。さらに、理想的には磁気ディスクは平面であるが、実際には微小な凹凸がある。浮上量が１０ｎｍ程度になると、磁気ディスクからデータを読み出す際に、磁気ディスクの微小な凹凸により磁気ディスクと磁気ヘッドとが接触して衝撃を受ける。この結果、磁気ヘッドと磁気ディスクとの接触による衝撃の強さが微小であっても、この接触に伴う振動により磁気ヘッド素子の寿命（劣化）に影響を与えることとなる。
【０００７】
ここで、本発明者は、先に、ＧＭＲ素子などの磁気ヘッド素子を搭載した磁気ヘッドスライダーが振動を受け続ける状態で使用されると、長期の使用に伴い、この磁気ヘッド素子の出力が徐々に低下する現象を発見した。さらに、磁気ヘッド素子の寿命を予測することによる定量的評価方法を開示した（特許文献１参照）。
【０００８】
本評価方法によると、磁気ヘッド素子と記録媒体（磁気ディスクＤＫ）との接触による衝撃の強さを検出し、この検出した衝撃の強さに基づいてヘッドの寿命を予測するようにしているので、ヘッドの浮上量が小さくなってヘッドと記録媒体との接触が頻繁に発生する場合でも、適切にヘッドの寿命を予測することができる。
【０００９】
また、この種の磁気ヘッド素子の劣化に関する従来技術として、ＧＭＲ素子と対向する面をシールド層からなる結晶化防止膜で覆うことで、磁気ヘッド素子の劣化を防止する薄膜磁気ヘッドに関する従来技術が開示されている（特許文献２参照）。
【００１０】
【特許文献１】特願２００５−０４１０３２号明細書
【特許文献２】特開２０００−３２２７１３号公報
【発明の開示】
【発明が解決しようとする課題】
【００１１】
ところで、前述した特許文献１によるヘッドの寿命予測方法の場合には、適切に磁気ヘッド素子の寿命を予測することができるが、実際には、磁気ヘッド素子を長期間使用した際に、磁気ディスクＤＫとの接触にともなう不具合（振動による劣化）の発生を回避もしくは軽減することが必要となってくる。
【００１２】
また、特許文献２に記載のＧＭＲ素子と対向する面にシールド層による結晶化防止膜で覆う対策の場合には、依然として実際に磁気ディスクＤＫと磁気ヘッドスライダーとの接触が発生した場合に、この接触に伴う磁気ヘッド素子に対する振動の伝播を有効に回避することができないため、長期にわたって磁気ヘッド素子の劣化を防止することができないという問題がある。
【００１３】
この発明は、上記課題（問題点）を解決するためになされたものであり、長期にわたって、磁気ヘッドスライダーに備えた磁気ヘッド素子の劣化および出力低下を防止することができる磁気ヘッドスライダーを提供することを目的とする。
【課題を解決するための手段】
【００１４】
請求項１に記載の発明は、磁気ディスクの表面部に対向する位置に配置され、当該磁気ディスクに対するデータの読み取りまたはデータの再生をおこなう磁気ヘッドスライダーにおいて、前記磁気ヘッドスライダーは、少なくともスライダー本体と、データの読み取りまたはデータの再生をおこなう磁気ヘッド素子とから構成され、前記スライダー本体の所定位置には、当該スライダー本体のいずれかの箇所と、前記磁気ディスクの表面部との接触により発生した振動を吸収する振動吸収手段が設けられることを特徴とする。
【００１５】
この請求項１に記載の発明によれば、磁気ヘッドスライダーは、少なくともスライダー本体と、データの読み取りまたはデータの再生をおこなう磁気ヘッド素子とから構成され、スライダー本体の所定位置には、当該スライダー本体のいずれかの箇所と磁気ディスクの表面部との接触により発生した振動を吸収する振動吸収手段が設けら、この振動吸収手段により、発生した振動が磁気ヘッド素子まで伝播することを阻止する。
【００１６】
また、請求項２に記載の発明は、請求項１に記載の発明において、前記振動吸収手段は、前記スライダー本体が備える特定の固有振動数に対して選択的に作用するように構成されることを特徴とする。
【００１７】
この請求項２に記載の発明によれば、スライダー本体の所定位置に設けられた振動吸収手段は、スライダー本体が備える特定の固有振動数に対して選択的に作用するように構成される。
【００１８】
また、請求項３に記載の発明は、磁気ディスクの表面部に対向する位置に配置され、当該磁気ディスクに対するデータの読み取りまたはデータの再生をおこなう磁気ヘッドスライダーにおいて、前記磁気ヘッドスライダーは、少なくともスライダー本体と、データの読み取りまたはデータの再生をおこなう磁気ヘッド素子とから構成され、前記磁気ヘッド素子が配設された部位の近傍に位置する材料は、前記スライダー本体のいずれかの箇所と、前記磁気ディスクの表面部との接触により発生した振動を吸収する材料が選定されることを特徴とする。
【００１９】
この請求項３に記載の発明によれば、磁気ヘッドスライダーは、少なくともスライダー本体と、データの読み取りまたはデータの再生をおこなう磁気ヘッド素子とから構成され、前記磁気ヘッド素子が配設された部位の近傍に位置する材料は、前記スライダー本体のいずれかの箇所と、前記磁気ディスクの表面部との接触により発生した振動を吸収する材料が選定され、この振動を吸収する各材料により、スライダー本体に発生した振動が磁気ヘッド素子まで伝播することを阻止する。
【００２０】
また、請求項４に記載の発明は、磁気ディスクの表面部に対向する位置に配置され、当該磁気ディスクに対するデータの読み取りまたはデータの再生をおこなう磁気ヘッドスライダーにおいて、前記磁気ヘッドスライダーは、少なくともスライダー本体と、データの読み取りまたはデータの再生をおこなう磁気ヘッド素子とから構成され、前記スライダー本体の所定位置には、その基端部がスライダー本体に埋設され、その先端部が、前記磁気ディスクの表面部に向けて、所定量突出し、その基端部とスライダー本体との間に振動を吸収する材料を介在させた、一つまたは複数のスタッド部材が設けられることを特徴とする。
【００２１】
この請求項４に記載の発明によれば、磁気ヘッドスライダーは、少なくともスライダー本体と、データの読み取りまたはデータの再生をおこなう磁気ヘッド素子とから構成され、前記スライダー本体の所定位置には、その基端部がスライダー本体に埋設され、その先端部が、前記磁気ディスクの表面部に向けて、所定量突出し、その基端部とスライダー本体との間に振動を吸収する材料を介在させた、一つまたは複数のスタッド部材が設けられる構成となっている。
【００２２】
また、請求項５に記載の発明は、磁気ヘッドスライダーは、少なくともスライダー本体と、データの読み取りまたはデータの再生をおこなう磁気ヘッド素子とから構成され、前記スライダー本体の底面部には、当該スライダー本体との間を振動減衰材で隔絶された硬質の接触パッドを設け、当該接触パッドの配設位置は、前記磁気ヘッド素子に比べて、前記磁気ディスクの表面部に近接する位置或いは、磁気ディスクに接触する位置であって、前記磁気ヘッド素子は、磁気ディスクと直接接触しない配置とすることを特徴とする。
【００２３】
この請求項５に記載の発明によれば、スライダー本体の底面部には、当該スライダー本体との間を振動減衰材で隔絶された硬質の接触パッドを設け、当該接触パッドの配設位置は、前記磁気ヘッド素子に比べて、前記磁気ディスクの表面部に近接する位置或いは、磁気ディスクに接触する位置であって、前記磁気ヘッド素子は、磁気ディスクと直接接触しない配置としている。
【発明の効果】
【００２４】
請求項１に記載の発明によれば、スライダー本体の所定位置には、このスライダー本体のいずれかの箇所と、磁気ディスクの表面部との接触により発生した振動を吸収する振動吸収手段が設けられるので、スライダ本体の一部と磁気ディスクとの接触によって生じる磁気ヘッドスライダー全体の固有振動を振動吸収手段により減衰させることができ、これによって、長期にわたって、この磁気ヘッドスライダーに備えた磁気ヘッド素子の劣化および出力低下を防止することができるという効果を奏する。
【００２５】
請求項２に記載の発明によれば、振動吸収手段は、スライダー本体が備える特定の固有振動数に対して選択的に作用するように構成されるので、磁気ヘッドスライダーのスライダー本体が備える特定の固有振動数に応じて、振動を吸収することができ、これによって、長期にわたって、この磁気ヘッドスライダーに備えた磁気ヘッド素子の劣化および出力低下を防止することができるという効果を奏する。
【００２６】
請求項３に記載の発明によれば、磁気ヘッド素子が配設された部位の近傍に位置する材料は、スライダー本体のいずれかの箇所と、磁気ディスクの表面部との接触により発生した振動を吸収する材料が選定されるので、スライダー本体の一部と磁気ディスクとの接触によって生ずる振動を、各振動吸収部材により減衰させることができ、これによって、発生した振動エネルギーが磁気ヘッド素子まで伝播されることを阻止することができ、この結果、磁気ヘッド素子の劣化および出力低下を防止できるという効果を奏する。
【００２７】
請求項４に記載の発明によれば、磁気ヘッドスライダーは、少なくともスライダー本体と、データの読み取りまたはデータの再生をおこなう磁気ヘッド素子とから構成され、前記スライダー本体の所定位置には、その基端部がスライダー本体に埋設され、その先端部が、前記磁気ディスクの表面部に向けて、所定量突出し、その基端部とスライダー本体との間に振動を吸収する材料を介在させた、一つまたは複数のスタッド部材が設けられるので、スライダー本体の一部と磁気ディスクとの接触時には、磁気ヘッド素子よりもスタッド部材の先端部が磁気ディスクの表面と接触し、その振動は、スライダー本体との間に設けられた振動減衰材によって減衰させることができる。これによって、振動が磁気ヘッド素子まで伝播されることを阻止することができ、長期にわたって、この磁気ヘッドスライダーに備えた磁気ヘッド素子の劣化および出力低下を防止することができるという効果を奏する。
【００２８】
請求項５に記載の発明によれば、スライダー本体の底面部には、当該スライダー本体との間を振動減衰材で隔絶された硬質の接触パッドを設け、当該接触パッドの配設位置は、前記磁気ヘッド素子に比べて、前記磁気ディスクの表面部に近接する位置或いは、磁気ディスクに接触する位置であって、前記磁気ヘッド素子は、磁気ディスクと直接接触しない配置としてるので、磁気ヘッドスライダーと磁気ディスクの表面部との接触は、パッド部に限定され、その振動は、振動減衰材によって減衰させることができる。これによって、接触によって発生する振動が磁気ヘッド素子まで伝播されることを阻止することができ、長期にわたって、この磁気ヘッドスライダーに備えた磁気ヘッド素子の劣化および出力低下を防止することができるという効果を奏する。
【発明を実施するための最良の形態】
【００２９】
以下に添付図面を参照して、この発明に係る磁気ヘッドスライダーの好適な実施例を詳細に説明する。なお、以下では、本実施例１に係る磁気ヘッドスライダーの構造の概要および特徴を説明し、これに続いて、この磁気ヘッドスライダーの構成による機能の詳細を説明することとする。
【実施例１】
【００３０】
ここで、本実施例１による磁気ヘッドスライダーの特徴は、この磁気ヘッドスライダー１０を構成するスライダー本体３０のいずれかの箇所が磁気ディスクＤＫの表面部と接触した場合でも、この磁気ディスクＤＫとの接触による振動が磁気ヘッド素子６０に伝播することを抑止することにある。そこで、本実施例１では、磁気ヘッドスライダー１０を構成するスライダー本体３０に、磁気ディスクＤＫの表面部との接触により発生する振動を吸収する機能を備えた動吸収器２０（請求項に記載の「振動吸収手段」）を設けている。
【００３１】
具体的に説明すると、本実施例１においては、スライダー本体３０に動吸収器２０を設けることにより、スライダー本体３０と磁気ディスクＤＫの表面部との接触により発生する振動が、磁気ヘッド素子６０まで伝播することを抑制するようにしている。
【００３２】
以下、図１および図２を参照して、本発明の磁気ヘッドスライダーに係る実施例１の構成および機能の詳細について説明する。図１は、磁気ヘッドスライダー１０の構成を示す側面図を、図２は、平面図をそれぞれ示している。
【００３３】
すなわち、図１および図２に示すように、磁気ヘッドスライダー１０は、図１の左側から順に、動吸収器２０（振動吸収部材）と、スライダー本体３０と、絶縁層４０と、この絶縁層４０よりも厚手に形成された保護層５０とから構成されている。動吸収器２０は、スライダー本体３０と磁気ディスクＤＫ（図１）の表面部とが何らかの原因により接触した場合、この接触により発生した振動エネルギーを吸収する機能を備えている。本実施例１において、この動吸収器２０は、図１、図２に示すように、スライダー本体３０の後端部側に１個と、左右両側面位置にそれぞれ１個づつの合計３個設けている。
【００３４】
なお、この動吸収器２０には、例えば、ダンパ装置と重りとからなる共振を利用したダイナミックダンパなどを使用することができる。また、ここで、この動吸収器２０は、スライダー本体３０が備えている特定の固有振動数に対して選択的に作用するように構成することができる。この場合、スライダー本体３０が備えている特定の固有振動数に応じて、振動エネルギーを効果的に吸収することができる。
【００３５】
また、保護層５０の下端部位置には、ＧＭＲ素子からなる磁気ヘッド素子６０が設けられている。この磁気ヘッド素子６０は、磁気抵抗効果を有するＧＭＲ膜と、記録用薄膜ヘッドと、記録端子と、再生端子とを備えており、ＧＭＲ膜を利用してデータを再生し、記録用薄膜ヘッドを利用してデータの記録をおこなう機能を備えている。また、７０は、磁気ヘッドスライダー１０を構成するスライダー本体３０の浮上面形状を表すＡＢＳ(ＡＢＳ:Air Bearing Surfaｃe)を示している。
【００３６】
上述のように構成される磁気ヘッドスライダー１０では、例えば、この磁気ヘッドスライダー１０の一部と磁気ディスクＤＫの表面部とが接触した場合、この接触による振動は、動吸収器２０により吸収することができる。これによって、発生した振動エネルギーを効果的に吸収することができ、磁気ヘッド素子６０まで振動が伝播されることはない。
【００３７】
以上説明したように、本実施例１によれば、磁気ヘッドスライダー１０に振動を吸収する動吸収器２０を備えているので、この磁気ヘッドスライダー１０の一部と磁気ディスクＤＫの表面部とが接触した場合、この接触による振動は、動吸収器２０により吸収することができ、これによって、長期にわたって、この磁気ヘッドスライダー１０に備えた磁気ヘッド素子６０の劣化および出力低下を防止することができる。
【実施例２】
【００３８】
次に、図３および図４を参照して、本発明の磁気ヘッドスライダーに係る実施例２について説明する。図３は、磁気ヘッドスライダー１０の構成を示す側面図を、図４は、平面図をそれぞれ示している。ここで、本実施例２の磁気ヘッドスライダー１０ａは、磁気ヘッド素子６０の近傍に配置された材料により、スライダー本体３０に生じた振動を吸収することに特徴がある。具体的に説明すると、この磁気ヘッド素子６０が配設された部位の近傍に位置する材料には、磁気ディスクＤＫの表面部との接触により発生した振動を吸収する材料が選定されている。
【００３９】
すなわち、図３および図４に示すように、磁気ヘッドスライダー１０ａは、図１の左側から順に、セラミックと樹脂との複合材（コンポジット材）により構成されるスライダー本体３０と、減衰材により構成される絶縁層４０と、この絶縁層４０よりも厚手に形成されるとともに、同じく減衰材により構成される保護層５０とから構成されている。
【００４０】
ここで、スライダー本体３０を構成する材料には、例えば、Ａｌ２０３-ＴｉＣよりも機械的減衰係数の高い材料を選定することができる。また、スライダー本体３０と、磁気ヘッド素子６０とを互いに隔絶する膜材には、アルミナ素材よりも機械的減衰係数の高い材料を選定することができ、このように、機械的減衰係数の高い材料を構成材料或いは、スライダー本体３０と磁気ヘッド素子６０とを隔絶する膜材として使用することにより、磁気ヘッド素子６０に対する振動減衰効果を向上させることができる。
【００４１】
また、保護層５０の下端部位置には、磁気ヘッド素子６０が設けられている。したがって、この磁気ヘッド素子６０が配設される近傍には、それぞれ減衰材により構成される保護層５０と絶縁層４０および複合材により構成されるスライダー本体３０が配設されているため、例えば、この磁気ヘッドスライダー１０ａの一部と磁気ディスクＤＫの表面部とが接触した場合、この接触による振動は、磁気ヘッド素子６０まで伝播されることはない。
【００４２】
これによって、長期にわたって、この磁気ヘッドスライダー１０ａに備えた磁気ヘッド素子６０の劣化を防止することができる。ここで、磁気ヘッド素子６０を構成するオーバーコート膜材には、例えば、アルミナ素材よりも機械的減衰係数の高い材料を選定することができる。この場合、上述したと同様に、さらに、磁気ヘッド素子６０に対する振動減衰効果を向上させることができる。
【００４３】
以上説明したように、実施例２に係る磁気ヘッドスライダー１０ａによれば、磁気ヘッド素子６０が配設された部位の近傍に位置するスライダー本体３０と、絶縁層４０と、保護層５０とに使用される材料には、複合材や減衰材などの振動を吸収する材料が選定されるので、磁気ヘッドスライダー１０ａの一部と磁気ディスクＤＫの表面部とが接触しても、この接触による振動は、磁気ヘッド素子６０まで伝播されることはなく、これによって、長期にわたって、この磁気ヘッドスライダー１０ａの劣化を防止することができる。
【実施例３】
【００４４】
次に、図５、図６および図７を参照して、本発明の磁気ヘッドスライダーに係る実施例３について説明する。ここで、図５は、磁気ヘッドスライダー１０の構成を示す側面図を、図６は、平面図を、図７は、図５に示した磁気ヘッド素子６０が配置された近傍部位の要部拡大図をそれぞれ示している。
【００４５】
すなわち、本実施例３では、磁気ヘッドスライダー１０ｂを構成する磁気ヘッド素子６０以外の部分（スタッド部材８０）で、磁気ディスクＤＫとの間で接触を発生させ、この磁気ヘッド素子６０が直接、磁気ディスクＤＫに接触するのを防止するとともに、スタッド部材８０で生じた振動がスライダー本体３０まで伝播することを阻止する構成としたことに特徴がある。
【００４６】
具体的に説明すると、図５および図６に示すように、スライダー本体３０の所定位置（本例では、磁気ヘッド素子６０の隣接位置）には、その基端部（図５、図７の上側）がスライダー本体３０に埋設され、先端部（図５、図７の下側）が、磁気ディスクＤＫの表面部に向けて（所定量）突出するスタッド部材８０を設けている。この場合、スライダー本体３０の一部と磁気ディスクＤＫとの接触時には、磁気ヘッド素子６０よりも先にスタッド部材８０の先端部が磁気ディスクＤＫの表面と接触することになるため、磁気ヘッド素子６０が直接、磁気ディスクＤＫと接触することを確実に防止することができる。
【００４７】
すなわち、図７に示すように、磁気ディスクＤＫの表面部とスタッド部材８０の先端部との間隔をｔ1とし、磁気ディスクＤＫの表面部と磁気ヘッド素子６０の読み取り／再生面との間隔をｔ2とした場合、これら両者の間隔の関係が、常時、ｔ1＜ｔ2となるように、接触スタッド８０の突き出し量が設定されている。これにより、磁気ヘッド素子６０よりも先に、スタッド部材８０が磁気ディスクＤＫの表面部と接触することとなる。
【００４８】
ここで、スタッド部材８０を構成する一部（少なくとも表面部）には、カーボンなどの硬質材料を主体とする膜体で構成することができる。また、この接触スタッド８０の基端部位置には、振動を減衰させるための減衰材８５を設けており、この減衰材８５により、スタッド部材８０と磁気ディスクＤＫの表面部との接触により発生した振動エネルギーを減衰させることができ、この結果、磁気ヘッド素子６０まで振動が伝播することを確実に阻止することができる。
【００４９】
以上説明したように、本実施例３によれば、スライダー本体３０の所定位置には、その一方（基端部）が磁気スライダー本体に埋設され、他方（先端部）が、磁気ディスクＤＫの表面部に向けて（所定量）突出するスタッド部材８０が設けられるので、磁気ディスクＤＫとの接触時には、磁気ヘッド素子６０よりも先にスタッド部材８０の先端部が磁気ディスクＤＫの表面部と接触することになり、これによって、磁気ヘッド素子６０が直接、この磁気ディスクＤＫに接触することを確実に防止することができる。
【００５０】
また、スタッド部材８０の周囲に包囲された減衰材８５により、スタッド部材８０と磁気ディスクＤＫの表面部との接触時に発生した振動エネルギーを、減衰させることができ、これによって、スタッド部材８０の近傍に配置された磁気ヘッド素子６０まで振動が伝播されることを確実に阻止することができる。
【００５１】
以上、本発明による磁気ヘッドスライダーについての構成および機能の詳細を、順次、各実施例１〜３毎に説明したが、これら各実施例１〜３がそれぞれ備えた特徴部分をそれぞれ組み合わせる構成としてもよい。具体的に説明すると、複合材や振動を減衰する減衰材から構成されるスライダー本体３０、絶縁層４０、保護層５０を有する磁気ヘッドスライダーに動吸収器２０を設ける構成としたり、動吸収器２０を備えた磁気ヘッドスライダーに、接触用のスタッド部材８０を設ける構成とすることができる。このように各実施例１〜３を複合する構成とすることにより、磁気ヘッド素子６０に対する振動の伝播を阻止する作用効果をより向上させることができる。
【実施例４】
【００５２】
次に、図８および図９を参照して、本発明の磁気ヘッドスライダー１０ｃに係る実施例４について説明する。すなわち、前述した実施例１〜実施例３では、スライダー本体３０を磁気ディスクＤＫと接触させない非接触型（ニアコンタクト型）の磁気ヘッドスライダーについて説明したが、以下の各実施例４〜６では、両者を接触させて使用する接触型（コンタクト型）の磁気ヘッドスライダーの構成について説明する。
【００５３】
但し、実施例１〜実施例３においても、流出側の浮上量を更に下げ、実質的に接触状態で使用する構成も可能であるから、ここで用いる、ニアコンタクトおよびコンタクトという呼称は、あくまで説明上の便宜的なものであり、請求の範囲を限定するものではない。図８は、実施例４に係るコンタクト型の磁気ヘッドスライダー１０ｃの側面図を、図９は、平面図をそれぞれを示している。
【００５４】
同図に示すように、この磁気ヘッドスライダー１０ｃは、スライダー本体３０の底面部３５の両側位置に一対の接触パッド９０および奥側位置のほぼ中央部に一つの接触パッド９０と、これら３つの接触パッド９０をそれぞれ支持するパッド支持部９５とを備えており、これら接触パッド９０と磁気ディスクＤＫの表面部とが常時、僅かに当接する構成となっている。
【００５５】
すなわち、同図に示すように、これら接触パッド９０の配設位置は、磁気ヘッド素子６０の位置と比べて、磁気ディスクＤＫの表面部に近接する位置或いは、この磁気ディスクＤＫに僅かに接触する位置としている。一方、磁気ヘッド素子６０の配設位置は、この磁気ヘッド素子６０が磁気ディスクＤＫの表面部と直接接触しない配置構成としている。
【００５６】
ここで、接触パッド９０に使用する材料には、磁気ヘッド素子６０を構成する磁極材料に比べて硬度が大きい硬質材料を選定する。また、この接触パッド９０は、カーボン材を主体とする膜体で構成することによりさらに硬度を大きくすることができる。
【００５７】
そして、このコンタクト型の磁気ヘッドスライダー１０ｃにおいても、前述した実施例１の特徴である振動を吸収する動振動器２０を備える構成となっている。具体的には、図８に示すように、スライダー本体３０の後端部側に１個と、図９に示すように、左右両側面位置にそれぞれ１個づつの合計３個の動振動器２０を設けている。以上のように、コンタクト型の磁気ヘッドスライダー１０ｃにおいても、長期にわたって、この磁気ヘッドスライダー１０ｃに備えた磁気ヘッド素子６０の劣化および出力低下を防止することができる。
【００５８】
以上説明したように、本実施例４に係るコンタクト型の磁気ヘッドスライダー１０ｃによれば、スライダー本体３０の所定位置に、スライダー本体３０と磁気ディスクＤＫとの接触により発生した振動エネルギーを吸収する動吸収器２０を設けているので、この振動エネルギーを動吸収器２０により減衰させることができ、これによって、長期にわたって、このコンタクト型の磁気ヘッドスライダー１０ｃに備えた磁気ヘッド素子６０の劣化および出力低下を防止することができる。
【実施例５】
【００５９】
次に、図１０および図１１を参照して、本発明の磁気ヘッドスライダーに係る実施例５について説明する。図１０は、実施例５に係るコンタクト型の磁気ヘッドスライダー１０ｄの側面図を、図１１は、平面図をそれぞれ示している。すなわち、同図に示すように、この磁気ヘッドスライダー１０ｄは、スライダー本体３０の底面部３５の両側位置に一対の接触パッド９０および奥側位置のほぼ中央部に一つの接触パッド９０と、これら３つの接触パッド９０をそれぞれ支持するパッド支持部９５とを備えており、これら接触パッド９０と磁気ディスクＤＫの表面部とが常時、僅かに当接する構成となっている。
【００６０】
そして、このコンタクト型の磁気ヘッドスライダー１０ｄにおいても、前述した実施例２の特徴である構成材料と同様に、磁気ヘッド素子６０が配設された部位の近傍に位置するスライダー本体３０と、絶縁層４０と、保護層５０とに使用される材料には、セラミックや樹脂による複合材や種々の振動を吸収する減衰材や機械的に減衰係数の高い材料などを、適宜、選定して使用することができる。
【００６１】
以上説明したように、本実施例５に係るコンタクト型の磁気ヘッドスライダー１０ｄによれば、磁気ヘッド素子６０が配設された部位の近傍に位置する各構成材料（スライダー本体３０と、絶縁層４０と、保護層５０）には、複合材や振動を吸収する減衰材が選定されるので、磁気ディスクＤＫの表面部との接触により振動が生じても、この振動は、スライダー本体３０と、絶縁層４０と、保護層５０とを構成する振動吸収材の特性により、発生した振動が磁気ヘッド素子６０まで伝播することを阻止することができる。この結果、長期にわたって、このコンタクト型の磁気ヘッドスライダー１０ｄに備えた磁気ヘッド素子６０の劣化および出力低下を防止することができる。
【実施例６】
【００６２】
次に、図１２および図１３を参照して、本発明の磁気ヘッドスライダーに係る実施例６について説明する。図１２は、実施例６に係るコンタクト型の磁気ヘッドスライダー１０ｅの側面図を、図１３は、平面図をそれぞれ示している。すなわち、同図に示すように、本実施例６の特徴は、磁気ヘッドスライダー１０ｅを構成するスライダー本体３０の底面部３５に硬質の接触パッド９０と、この接触パッド９０を支持するパッド支持部９５とを備えるとともに、この接触パッド９０の周囲に、振動を減衰させるための振動減衰材９６を設けることにある。
【００６３】
これにより、スライダー本体３０と接触パッド９０とは、振動減衰材９６により、スライダー本体３０と磁気ディスクＤＫの表面部との接触などにより発生した振動などを隔絶する構成となっている。
【００６４】
すなわち、このコンタクト型の磁気ヘッドスライダー１０ｅにおいては、スライダー本体３０の底面部３５に３つの接触パッド９０（図１３）を配設するとともに、この接触パッド９０の周囲に振動減衰材９６を設けることにより、スライダー本体３０の一部と磁気ディスクＤＫの表面部との接触により発生する振動が磁気ヘッド素子６０まで伝播するのを阻止する構成となっている。
【００６５】
ここで、同図に示すように、接触パッド９０の配設位置は、磁気ヘッド素子６０に比べて、磁気ディスクＤＫの表面部に近接する位置或いは、この磁気ディスクＤＫに接触する位置であって、磁気ヘッド素子６０は、磁気ディスクＤＫと直接接触しない配置とすることにより、スライダー本体３０と磁気ディスクＤＫの表面部との接触を、磁気ヘッド素子６０ではなく接触パッド９０に限定することができる。
【００６６】
この振動減衰材９６には、硬質の材料が選定された接触パッド９０に比べて機械的減衰係数の大きい材料が主に選定される。具体的には、この振動減衰材９６を構成する材料として、例えば、可撓性材料を選定することができる。
【００６７】
以上説明したように、本実施例６に係るコンタクト型の磁気ヘッドスライダー１０ｅによれば、スライダー本体３０の底面部３５に設けた接触パッド９０の周囲に振動減衰材９６を設けたので、磁気ヘッドスライダー１０ｅの一部と磁気ディスクＤＫとの接触時の振動は、接触パッド９０の周囲に配設した振動減衰材９６により減衰されるので、スライダー本体３０の一部と磁気ディスクＤＫの表面部との接触による振動を、磁気ヘッド素子６０まで伝播されることを確実に阻止することができる。
【００６８】
（付記１）磁気ディスクの表面部に対向する位置に配置され、当該磁気ディスクに対するデータの読み取りまたはデータの再生をおこなう磁気ヘッドスライダーにおいて、
前記磁気ヘッドスライダーは、少なくともスライダー本体と、データの読み取りまたはデータの再生をおこなう磁気ヘッド素子とから構成され、
前記スライダー本体の所定位置には、当該スライダー本体のいずれかの箇所と、前記磁気ディスクの表面部との接触により発生した振動を吸収する振動吸収手段が設けられることを特徴とする磁気ヘッドスライダー。
【００６９】
（付記２）前記振動吸収手段は、前記スライダー本体が備える特定の固有振動数に対して選択的に作用するように構成されることを特徴とする付記１に記載の磁気ヘッドスライダー。
【００７０】
（付記３）前記振動吸収手段には、ダイナミックダンパが使用されることを特徴とする付記１または２に記載の磁気ヘッドスライダー。
【００７１】
（付記４）磁気ディスクの表面部に対向する位置に配置され、当該磁気ディスクに対するデータの読み取りまたはデータの再生をおこなう磁気ヘッドスライダーにおいて、
前記磁気ヘッドスライダーは、少なくともスライダー本体と、データの読み取りまたはデータの再生をおこなう磁気ヘッド素子とから構成され、
前記磁気ヘッド素子が配設された部位の近傍に位置する材料は、前記スライダー本体のいずれかの箇所と、前記磁気ディスクの表面部との接触により発生した振動を吸収する材料が選定されることを特徴とする磁気ヘッドスライダー。
【００７２】
（付記５）前記スライダー本体を構成する材料には、Ａｌ２０３-ＴｉＣよりも機械的減衰係数の高い材料が選定されることを特徴とする付記４に記載の磁気ヘッドスライダー。
【００７３】
（付記６）前記スライダー本体を構成する材料には、セラミックと樹脂の複合材が選定されることを特徴とする付記４に記載の磁気ヘッドスライダー。
【００７４】
（付記７）前記スライダー本体と、前記磁気ヘッド素子とを互いに隔絶する膜材が設けられ、その膜材には、アルミナ素材よりも機械的減衰係数の高い材料が選定されることを特徴とする付記４に記載の磁気ヘッドスライダー。
【００７５】
（付記８）前記磁気ヘッド素子にオーバーコートが設けられ、そのオーバーコート膜材には、アルミナ素材よりも機械的減衰係数の高い材料が選定されることを特徴とする付記４に記載の磁気ヘッドスライダー。
【００７６】
（付記９）磁気ディスクの表面部に対向する位置に配置され、当該磁気ディスクに対するデータの読み取りまたはデータの再生をおこなう磁気ヘッドスライダーにおいて、
前記磁気ヘッドスライダーは、少なくともスライダー本体と、データの読み取りまたはデータの再生をおこなう磁気ヘッド素子とから構成され、
前記スライダー本体の所定位置には、その基端部がスライダー本体に埋設され、その先端部が、前記磁気ディスクの表面部に向けて、所定量突出し、その基端部とスライダー本体との間に振動を吸収する材料を介在させた、一つまたは複数のスタッド部材が設けられることを特徴とする磁気ヘッドスライダー。
【００７７】
（付記１０）前記スタッド部材の先端部と、前記磁気ディスクの表面部との間隔は、前記磁気ヘッド素子の読み取り／再生面と、前記磁気ディスクの表面部との間隔よりも小さくなるように、スタッド部材の突き出し量が設定されていることを特徴とする付記９に記載の磁気ヘッドスライダー。
【００７８】
（付記１１）前記スタッド部材の突き出し量は、当該スタッド部材の先端部と、前記磁気ディスクの表面部とが僅かに接触するように設定されるとともに、前記磁気ヘッド素子の読み取り／再生面と、前記磁気ディスクの表面部との間隔は、両者が直接接触することがないように設定されていることを特徴とする付記９または１０に記載の磁気ヘッドスライダー。
【００７９】
（付記１２）前記スタッド部材と、前記スライダー本体との間には、減衰係数の大きい可撓性材料を介在する構造とすることを特徴とする付記９、１０または１１に記載の磁気ヘッドスライダー。
【００８０】
（付記１３）前記スタッド部材を構成する少なくとも表面部は、前記磁気ヘッド素子を構成する磁極材料に比べて硬い材料とすることを特徴とする付記９〜１２のいずれか一つに記載の磁気ヘッドスライダー。
【００８１】
（付記１４）磁気ディスクの表面部に対向する位置に配置され、当該磁気ディスクに対するデータの読み取りまたはデータの再生をおこなう磁気ヘッドスライダーにおいて、
前記磁気ヘッドスライダーは、少なくともスライダー本体と、データの読み取りまたはデータの再生をおこなう磁気ヘッド素子とから構成され、
前記スライダー本体の底面部には、当該スライダー本体との間を振動減衰材で隔絶された硬質の接触パッドを設け、当該接触パッドの配設位置は、前記磁気ヘッド素子に比べて、前記磁気ディスクの表面部に近接する位置或いは、磁気ディスクに接触する位置であって、前記磁気ヘッド素子は、磁気ディスクと直接接触しない配置とすることを特徴とする磁気ヘッドスライダー。
【００８２】
（付記１５）前記振動減衰材は、前記接触パッドに比べて機械的減衰係数の大きい材料とすることを特徴とする付記１４に記載の磁気ヘッドスライダー。
【００８３】
（付記１６）前記振動減衰材を構成する材料には、可撓性材料が選定されることを特徴とする付記１４または１５に記載の磁気ヘッドスライダー。
【００８４】
（付記１７）前記接触パッドは、前記磁気ヘッド素子の磁極材料に比べて硬質な材料が選定されるとすることを特徴とする付記１４、１５または１６に記載の磁気ヘッドスライダー。
【００８５】
（付記１８）前記接触パッドには、カーボン材を主体とする膜体で構成することを特徴とする付記１４〜１７のいずれか一つに記載の磁気ヘッドスライダー。
【産業上の利用可能性】
【００８６】
以上のように、本発明に係る磁気ヘッドスライダーは、磁気ディスクなどの記録媒体に記録されている情報の読み出し／再生をおこなう磁気ヘッドスライダーに関し、特に、磁気ヘッドスライダーを構成する磁気ヘッド素子の劣化を防止することができる磁気ヘッドスライダーに適している。
【図面の簡単な説明】
【００８７】
【図１】本実施例１に係る磁気ヘッドスライダーを示す側面図である。
【図２】磁気ヘッドスライダーを示す平面図である。
【図３】実施例２に係る磁気ヘッドスライダーを示す側面図である。
【図４】磁気ヘッドスライダーを示す平面図である。
【図５】実施例３に係る磁気ヘッドスライダーを示す側面図である。
【図６】磁気ヘッドスライダーを示す平面図である。
【図７】図５の要部拡大図である。
【図８】実施例４に係る磁気ヘッドスライダーを示す側面図である。
【図９】磁気ヘッドスライダーの構成を示す平面図である。
【図１０】実施例５に係る磁気ヘッドスライダーを示す側面図である。
【図１１】磁気ヘッドスライダーを示す平面図である。
【図１２】実施例６に係る磁気ヘッドスライダーを示す側面図である。
【図１３】磁気ヘッドスライダーを示す平面図である。
【図１４】従来の磁気ヘッドスライダーと磁気ディスクとの位置関係を示す概略図である。
【符号の説明】
【００８８】
９、１０、１０ａ〜ｅ  磁気ヘッドスライダー
１１、３０  スライダー本体
１２  サスペンション
１３、６０  磁気ヘッド素子
２０  動吸収器
３５  底面部
４０  絶縁層
５０  保護層
７０  ＡＢＳ
８０  スタッド部材
８５  減衰材
９０  接触パッド
９５  パッド支持部
９６  振動減衰材
ＤＫ  磁気ディスク
【図１】
2006277883.tif 000003
【図２】
2006277883.tif 000004
【図３】
2006277883.tif 000005
【図４】
2006277883.tif 000006
【図５】
2006277883.tif 000007
【図６】
2006277883.tif 000008
【図７】
2006277883.tif 000009
【図８】
2006277883.tif 000010
【図９】
2006277883.tif 000011
【図１０】
2006277883.tif 000012
【図１１】
2006277883.tif 000013
【図１２】
2006277883.tif 000014
【図１３】
2006277883.tif 000015
【図１４】
2006277883.tif 000016